(57)【要約】【課題】  ノード間でノードの属性情報を交換する。【解決手段】  管理装置２００が、ノード１００Ａから、機器識別情報と、属性情報とを受信するステップ、この受信したノード１００Ａの属性情報からメタデータを作成するステップ、ノード１００Ａの機器識別情報とメタデータとを対応付けて記憶するステップ、この作成されたノード１００Ａのメタデータを含む新たな機器識別情報を作成するステップ、ノード１００Ａのメタデータとノード１００Ａの新たな機器識別情報とを対応付けて記憶手段２０１に記憶するステップ、ノード１００Ａの新たな機器識別情報をノード１００Ａへ送信するステップ、ノード１００Ｂへノード１００Ａのメタデータを参照させるステップ、ノード１００間の通信が終了した通知に基づいて記憶手段２０１からノード１００Ａのメタデータと機器識別情報との対応付けを削除するステップを実行する構成とした。【選択図】      図５
2005064881.tif 000002
【特許請求の範囲】
【請求項１】
各ノードがネットワークを介して前記各ノードの属性に関するメタデータを送受信して通信を行なうノード間の通信方法であって、
前記各ノードの属性に関するメタデータを管理する管理装置が、
前記各ノードのうちの第１のノードから、この第１のノードの機器識別情報と、この第１のノードの属性に関する属性情報とを受信するステップ、
この受信した第１のノードの属性情報から、前記ノードの属性に関するメタデータとしての第１のノードのメタデータを作成するステップ、
この作成した第１のノードのメタデータと、前記受信した第１のノードの機器識別情報とを対応付けて記憶手段に記憶するステップ、
前記第１のノードと前記各ノードのうちの第２のノードとが通信を行なう際に、前記記憶手段に記憶した前記第１のノードのメタデータを前記第２のノードに参照させるステップ、
を実行することを特徴とするノード間の通信方法。
【請求項２】
前記第１のノードのメタデータを参照させるステップは、
前記第１のノードと接続された前記第２のノードから、前記第１のノードの機器識別情報を受信するステップ、
この受信した第１のノードの機器識別情報に基づいて、前記第１のノードのメタデータを前記記憶手段から検索するステップ、
この検索された前記第１のノードのメタデータを前記第２のノードへ送信するステップ、
を含んでなり、
さらに、前記ノード間の通信方法は、
前記第１のノードと前記第２のノードとの通信が終了した通知を受信するステップ、
この通信が終了した通知に基づいて、前記記憶手段の前記第１のノードのメタデータと、前記受信した第１のノードの機器識別情報との対応付けを削除するステップ、
を実行することを特徴とする請求項１に記載のノード間の通信方法。
【請求項３】
各ノードがネットワークを介して前記各ノードの属性に関するメタデータを送受信して通信を行なうノード間の通信方法であって、
前記各ノードの属性に関するメタデータを管理する管理装置が、
前記各ノードのうちの第１のノードから、この第１のノードの機器識別情報と、この第１のノードの属性に関する属性情報とを受信するステップ、
この受信した第１のノードの属性情報から、前記ノードの属性に関するメタデータとしての第１のノードのメタデータを作成するステップ、
この作成した第１のノードのメタデータと、前記受信した第１のノードの機器識別情報とを対応付けて記憶手段に記憶するステップ、
前記作成した第１のノードのメタデータを含む新たな機器識別情報を作成するステップ、
前記第１のノードのメタデータと、前記第１のノードの新たな機器識別情報とを対応付けて記憶手段に記憶するステップ、
前記第１のノードの新たな機器識別情報を前記第１のノードへ送信するステップ、
前記各ノードのうちの第２のノードから、前記第１のノードのメタデータの送信要求を受信するステップ、
前記第１のノードのメタデータの送信要求に基づいて、前記記憶手段から第１のノードのメタデータを検索し、この第１のノードのメタデータを前記第２のノードへ送信するステップ、
前記第１のノードと前記第２のノードとの通信が終了した通知を受信するステップ、
この通信が終了した通知に基づいて、前記記憶手段の前記第１のノードのメタデータと、前記第１のノードの機器識別情報との対応付けを削除するステップ、
を実行することを特徴とするノード間の通信方法。
【請求項４】
各ノードがネットワークを介して前記各ノードの属性に関するメタデータを送受信して通信を行なうノード間の通信方法であって、
前記各ノードの属性に関するメタデータを管理する管理装置が、
前記各ノードのうちの第１のノードから、この第１のノードの機器識別情報と、この第１のノードの属性に関する属性情報とを受信するステップ、
この受信した第１のノードの属性情報から、前記ノードの属性に関するメタデータとしての第１のノードのメタデータを作成するステップ、
この第１のノードのメタデータと、前記第１のノードの機器識別情報とを対応づけて、記憶手段に記憶するステップ、
前記第１のノードから前記各ノードのうちの第２のノードへの接続依頼を受信するステップ、
前記第１のノードのメタデータを含む新たな機器識別情報を作成するステップ、
前記第１のノードのメタデータと、前記第１のノードの新たな機器識別情報とを対応付けて記憶手段に記憶するステップ、
前記第１のノードの新たな機器識別情報と、前記第１のノードから前記第２のノードへの接続依頼とを前記第２のノードへ送信するステップ、
前記第２のノードから、前記第１のノードのメタデータの送信要求を受信するステップ、
前記送信要求に基づいて、前記記憶手段から前記第１のノードのメタデータを検索し、この第１のノードのメタデータを前記第２のノードへ送信するステップ、
前記第１のノードと前記第２のノードとの通信が終了した通知を受信するステップ、
この通信が終了した通知に基づいて、前記記憶手段の前記第１のノードのメタデータと、前記第１のノードの新たな機器識別情報との対応付けを削除するステップ、
を実行することを特徴とするノード間の通信方法。
【請求項５】
請求項１から請求項４のいずれか１項に記載の各ステップを、メタデータを管理する管理装置に実行させることを特徴とするプログラム。
【請求項６】
請求項５に記載のプログラムを記憶した記憶媒体。
【請求項７】
ネットワークに接続された各ノードの属性に関するメタデータの管理装置であって、
前記各ノードのうちの第１のノードから、この第１のノードの属性に関する属性情報と前記第１のノードの機器識別情報とを受信し、前記第１のノードの属性に関する情報に基づいて前記属性情報に関するメタデータである第１のノードのメタデータを作成し、この第１のノードのメタデータと前記第１のノードの機器識別情報とを対応付けて、メタデータ記憶手段に登録するメタデータ登録手段、
前記各ノードのうちの第２のノードから前記第１のノードのメタデータの送信要求を受信し、この送信要求に基づいて前記メタデータ記憶手段から、前記第１のノードのメタデータを検索し、この第１のノードのメタデータを前記各ノードのうちの第２のノードへ送信して参照させるメタデータ参照手段、
前記第１のノードと前記第２のノードとの通信が終了した通知を受信し、この終了した通知に基づいて、前記メタデータ記憶手段の、前記第１のノードのメタデータと前記第１のノードの機器識別情報との対応付けを削除するメタデータ削除手段、
を備えることを特徴とするメタデータ管理装置。
【請求項８】
ネットワークに接続された各ノードの属性に関するメタデータの管理装置であって、
前記第１のノードから、この第１のノードの属性に関する属性情報と前記第１のノードの機器識別情報とを受信し、前記第１のノードの属性に関する情報に基づいて前記第１のノードの属性を示すメタデータを作成し、この第１のノードのメタデータと前記第１のノードの機器識別情報とを対応付けて、メタデータ記憶手段に登録するメタデータ登録手段、
前記第１のノードのメタデータを含む新たな機器識別情報を作成し、この第１のノードのメタデータを含む新たな機器識別情報と、前記第１のノードのメタデータとを対応付けて、メタデータ記憶手段に登録するメタデータ設定手段、
前記各ノードのうちの第２のノードから前記第１のノードのメタデータの送信要求を受信し、この送信要求に基づいて前記メタデータ記憶手段から、前記第１のノードのメタデータを検索し、この第１のノードのメタデータを前記第２のノードへ送信して参照させるメタデータ参照手段、
前記第１のノードと前記第２のノードとの通信が終了した通知を受信し、この終了した通知に基づいて、前記メタデータ記憶手段から、前記第１のノードのメタデータと前記第１のノードの新たな機器識別情報との対応付けを削除するメタデータ削除手段、
を備えることを特徴とするメタデータ管理装置。
【発明の詳細な説明】
【技術分野】
【０００１】
本発明は、ネットワークに接続される各ノード間の通信方法およびメタデータ管理装置に関する。
【背景技術】
【０００２】
従来、インターネット上の各ノード間の通信において、まずノードは、ノードに設定されたＩＰ（Internet Protocol）アドレスを読み込んで、どのノードとの通信かを識別し、その後アプリケーション層（アプリケーションレベル）の処理を行なう。
【０００３】
すなわち、例えば、クライアント側ノードの利用者の性別、年齢やクライアント側ノードの機種といったノードの属性に応じて、サーバ側ノードがサービスを提供する場合に、クライアント側ノードの属性に関する情報は、ＨＴＴＰ（HyperText Transfer Protocol）等のアプリケーションのデータとして送受信されるため、サーバ側ノードはネットワークの接続性を制御する処理とは別に、これらのアプリケーションデータの処理を行なう必要がある。
したがって、サーバ側ノードに接続してきたクライアント側ノードの属性が、サーバ側ノードのサービスの提供対象外の属性である場合でも、サーバ側ノードはノードの属性情報を、アプリケーションレベルで処理する必要がある。
【０００４】
かかる問題を解決するため、ノード（利用者）の属性に関する情報をメタデータ化して、ネットワークアドレス（ＩＰアドレス）の中に組み込むことで、ノード間で交換されるノードの属性情報を各ノードのネットワーク層で処理可能とする技術や、ノード間の通信を行う際に、アドレス割当装置が各ノードのＩＰアドレスをノードの属性を反映したＩＰアドレスに変換して、ノード間の通信を行なわせる技術がある（特許文献１参照）。
【特許文献１】特開２００２−３６８７８０号公報（［００２２］〜［００７７］）
【発明の開示】
【発明が解決しようとする課題】
【０００５】
しかし、ノードの属性情報をＩＰアドレスの中に組み込む技術では、ノードの属性情報をサーバ等に格納しておき、この情報を他のノードに参照させたり、ノード間で共有化させる手段については考慮されていない。
また、特許文献１には、このノードの属性情報をアドレス割当装置に登録して、変換後のノードのＩＰアドレスと、利用者の属性に関する情報との対応関係を他のノードに参照させる技術が開示されている。しかし、この対応関係を他のノードに参照させることにより、ノードがその属性情報によって恒久的に特定され続けたり、その属性情報が不本意な利用をされる場合等のセキュリティ面に対する考慮はされていない。
【０００６】
そこで本発明は、インターネットに接続されたノードにおいて、ノードの属性情報の交換を、ノード間の個別のアプリケーション接続を行なうことなく実現することを可能にし、このノードの属性情報の不本意な利用を防止することを目的とする。
【課題を解決するための手段】
【０００７】
前記した課題を解決するため、本発明の請求項１に係る発明は、各ノードがネットワークを介して前記各ノードの属性に関するメタデータを送受信して通信を行なうノード間の通信方法であって、前記各ノードの属性に関するメタデータを管理する管理装置が、前記各ノードのうちの第１のノードから、この第１のノードの機器識別情報と、この第１のノードの属性に関する属性情報とを受信するステップ、この受信した第１のノードの属性情報から、前記ノードの属性に関するメタデータとしての第１のノードのメタデータを作成するステップ、この作成した第１のノードのメタデータと、前記受信した第１のノードの機器識別情報とを対応付けて記憶手段に記憶するステップ、前記第１のノードと前記各ノードのうちの第２のノードとが通信を行なう際に、前記記憶手段に記憶した前記第１のノードのメタデータを前記第２のノードに参照させるステップを実行することを特徴とする。
【０００８】
この構成によれば、各ノードのうち第１のノードと第２のノードとが通信を行なう際に、管理装置は、記憶手段に記憶した第１のノードの属性に関するメタデータ（第１のノードの属性情報から作成されるメタデータ）を第２のノードに参照させる。したがって、例えば、第２のノードに接続してきた第１のノードの属性が、第２のノードのサービスの提供対象外の属性である場合に、第１のノードと第２のノードとの間で第１のノードの属性情報のアプリケーションデータ（ＨＴＴＰなど）の送受信や処理を行なわなくても、第２のノードは第１のノードがサービスの提供対象外の属性であることを判断することができる。すなわち、第２のノードは、第１のノードの属性がサービスの提供対象外の属性であるか否かを、ネットワークレベルで判断可能となる。
【０００９】
ここで、メタデータを管理する管理装置とは、後記する実施の形態の管理装置に相当する。機器識別情報とは、ネットワーク上での機器（ノード）の識別情報であり、例えばＩＰアドレスが相当する。第１のノードとは、後記する実施の形態のノード１００Ａに相当し、第２のノードとは後記する実施の形態のノード１００Ｂに相当する。ノードの属性に関する属性情報とは、例えば、ノードのユーザの性別、年齢、クレジットカードの番号、ノードの機種等である。
【００１０】
請求項２に係る発明は、請求項１に記載のノード間の通信方法の前記第１のノードのメタデータを参照させるステップは、前記第１のノードと接続された前記第２のノードから、前記第１のノードの機器識別情報を受信するステップ、この受信した第１のノードの機器識別情報に基づいて、前記第１のノードのメタデータを前記記憶手段から検索するステップ、この検索された前記第１のノードのメタデータを前記第２のノードへ送信するステップを含んでなり、さらに、前記ノード間の通信方法は、前記第１のノードと前記第２のノードとの通信が終了した通知を受信するステップ、この通信が終了した通知に基づいて、前記記憶手段の前記第１のノードのメタデータと、前記受信した第１のノードの機器識別情報との対応付けを削除するステップを実行することを特徴とする。
【００１１】
請求項７に係る発明は、ネットワークに接続された各ノードの属性に関するメタデータの管理装置であって、前記各ノードのうちの第１のノードから、この第１のノードの属性に関する属性情報と前記第１のノードの機器識別情報とを受信し、前記第１のノードの属性に関する情報に基づいて前記属性情報に関するメタデータである第１のノードのメタデータを作成し、この第１のノードのメタデータと前記第１のノードの機器識別情報とを対応付けて、メタデータ記憶手段に登録するメタデータ登録手段、前記各ノードのうちの第２のノードから前記第１のノードのメタデータの送信要求を受信し、この送信要求に基づいて前記メタデータ記憶手段から、前記第１のノードのメタデータを検索し、この第１のノードのメタデータを前記各ノードのうちの第２のノードへ送信して参照させるメタデータ参照手段、前記第１のノードと前記第２のノードとの通信が終了した通知を受信し、この終了した通知に基づいて、前記メタデータ記憶手段の、前記第１のノードのメタデータと前記第１のノードの機器識別情報との対応付けを削除するメタデータ削除手段を備えることを特徴とする。
【００１２】
この構成によれば、各ノードのうちの第２のノードは、第１のノードからの接続（例えば、第２のノードへのコネクションの確立要求等）を受け付けると、第１のノードの機器識別情報を取得し、この機器識別情報に基づいて管理装置の記憶手段からノードの属性情報（メタデータ）を取得（参照）するので、ノードの属性情報の交換をノード間の個別のアプリケーション接続を行なうことなく実現することができる。
また、例えば、第２のノードに接続してきた第１のノードの属性が、第２のノードのサービスの提供対象外の属性である場合に、第１のノードと第２のノードとの間で第１のノードの属性情報のアプリケーションデータの送受信や処理を行なわなくても、第２のノードは、第１のノードの属性がサービスの提供対象外の属性であることを判断することができる。すなわち、第２のノードは、第１のノードがサービスの提供対象外の属性であるか否かを、ネットワークレベルで判断可能となる。
【００１３】
また、第１のノードと第２のノードとの通信が終了すると、管理装置は、第１のノードの機器識別情報と第１のノードのメタデータとの対応付けを削除するので、通信終了後における第１のノードの属性情報の不本意な利用を防止し、ノードの属性情報を特定の利用目的のみに限定することができる。
【００１４】
例えば、第２のノードがユーザの性別や年齢を限定してサービスを提供するサーバであり、第１のノードがこのサーバにアクセスしてサービスを受けるユーザの端末であり、第１のノードの属性情報（メタデータ）が第１のノードのユーザの性別や年齢に関する情報であるとする。このとき、第２のノードが、第１のノードのメタデータ（性別や年齢に関する情報）を用いて第１のノードへサービス提供を行なった後、管理装置は、記憶手段に記憶された第１のノードの機器識別情報（ＩＰアドレス）と第１のノードのメタデータとの対応付け（バインド）を削除する。
このようにすることで、管理装置に格納された第１のノードのユーザの性別や年齢といった属性情報を、「第１のノードのユーザが第２のノードからのサービス提供を受ける」という利用目的のみに限定することができる。すなわち、性別や年齢といったノードの属性情報が公開された場合でも、第三者は、その属性情報がどのノードの属性情報であるかを特定することができなくなるため、属性情報の不本意な利用を防止することができる。
【００１５】
請求項３に係る発明は、各ノードがネットワークを介して前記各ノードの属性に関するメタデータを送受信して通信を行なうノード間の通信方法であって、前記各ノードの属性に関するメタデータを管理する管理装置が、前記各ノードのうちの第１のノードから、この第１のノードの機器識別情報と、この第１のノードの属性に関する属性情報とを受信するステップ、この受信した第１のノードの属性情報から、前記ノードの属性に関するメタデータとしての第１のノードのメタデータを作成するステップ、この作成した第１のノードのメタデータと、前記受信した第１のノードの機器識別情報とを対応付けて記憶手段に記憶するステップ、前記作成した第１のノードのメタデータを含む新たな機器識別情報を作成するステップ、前記第１のノードのメタデータと、前記第１のノードの新たな機器識別情報とを対応付けて記憶手段に記憶するステップ、前記第１のノードの新たな機器識別情報を前記第１のノードへ送信するステップ、前記各ノードのうちの第２のノードから、前記第１のノードのメタデータの送信要求を受信するステップ、前記第１のノードのメタデータの送信要求に基づいて、前記記憶手段から第１のノードのメタデータを検索し、この第１のノードのメタデータを前記第２のノードへ送信するステップ、前記第１のノードと前記第２のノードとの通信が終了した通知を受信するステップ、この通信が終了した通知に基づいて、前記記憶手段の前記第１のノードのメタデータと、前記第１のノードの機器識別情報との対応付けを削除するステップを実行することを特徴とする。
【００１６】
請求項８に係る発明は、ネットワークに接続された各ノードの属性に関するメタデータの管理装置であって、前記第１のノードから、この第１のノードの属性に関する属性情報と前記第１のノードの機器識別情報とを受信し、前記第１のノードの属性に関する情報に基づいて前記第１のノードの属性を示すメタデータを作成し、この第１のノードのメタデータと前記第１のノードの機器識別情報とを対応付けて、メタデータ記憶手段に登録するメタデータ登録手段、前記第１のノードのメタデータを含む新たな機器識別情報を作成し、この第１のノードのメタデータを含む新たな機器識別情報と、前記第１のノードのメタデータとを対応付けて、メタデータ記憶手段に登録するメタデータ設定手段、前記各ノードのうちの第２のノードから前記第１のノードのメタデータの送信要求を受信し、この送信要求に基づいて前記メタデータ記憶手段から、前記第１のノードのメタデータを検索し、この第１のノードのメタデータを前記第２のノードへ送信して参照させるメタデータ参照手段、前記第１のノードと前記第２のノードとの通信が終了した通知を受信し、この終了した通知に基づいて、前記メタデータ記憶手段から、前記第１のノードのメタデータと前記第１のノードの新たな機器識別情報との対応付けを削除するメタデータ削除手段を備えることを特徴とする。
【００１７】
この構成によれば、第１のノードが第２のノードに接続する際に、第１のノードに当初設定されたＩＰアドレス（本来のＩＰアドレス）を用いず、管理装置が作成した新たなＩＰアドレスを用い、またこの新たなＩＰアドレスに関する情報（第１のノードのＩＰアドレスと第１のノードのメタデータとの対応付け）も、第１のノードと第２のノードとの通信が終了した後に管理装置が削除するので、ノードの属性情報を特定の利用目的のみに限定することができる。
【００１８】
また、第１のノードの新たな機器識別情報は、第１のノードの属性に関する情報のメタデータを含んでいるので、ノードのアプリケーション処理の負担を軽減することができる。すなわち、例えば、第２のノードに接続してきた第１のノードの属性が、第２のノードのサービスの提供対象外の属性である場合に、第１のノードと第２のノードとの間で第１のノードの属性情報のアプリケーションデータの送受信や処理を行なわなくても、第２のノードは第１のノードがサービスの提供対象外の属性であることを判断することができる。すなわち、第２のノードは、第１のノードの属性がサービスの提供対象外の属性であるか否かを、ネットワークレベルで判断可能となる。
なお、新たな機器識別情報に含まれるメタデータが、機器識別情報の限られたアドレス長（ビット数）の中にメタデータ（ノードの属性情報）を含めることができない場合は、このメタデータを要約した情報を作成し、この要約情報を含めるようにしてもよい。ここで、メタデータを要約した情報とは、例えばメタデータに含まれる情報を簡略化してビット数を少なくした情報のほか、暗号化されている情報であってもよい。
【００１９】
また、管理装置は、第２のノードからのメタデータの送信要求に応じて記憶手段に記憶された第１のノードのメタデータを送信するので、第２のノードが第１のノードの新たな機器識別情報に含まれるメタデータ（あるいは、メタデータの要約情報）を処理（解読）することができなかった場合でも、第２のノードは第１のノードのメタデータ（属性情報）を取得することができる。
【００２０】
請求項４に係る発明は、各ノードがネットワークを介して前記各ノードの属性に関するメタデータを送受信して通信を行なうノード間の通信方法であって、前記各ノードの属性に関するメタデータを管理する管理装置が、前記各ノードのうちの第１のノードから、この第１のノードの機器識別情報と、この第１のノードの属性に関する属性情報とを受信するステップ、この受信した第１のノードの属性情報から、前記ノードの属性に関するメタデータとしての第１のノードのメタデータを作成するステップ、この第１のノードのメタデータと、前記第１のノードの機器識別情報とを対応づけて、記憶手段に記憶するステップ、前記第１のノードから前記各ノードのうちの第２のノードへの接続依頼を受信するステップ、前記第１のノードのメタデータを含む新たな機器識別情報を作成するステップ、前記第１のノードのメタデータと、前記第１のノードの新たな機器識別情報とを対応付けて記憶手段に記憶するステップ、前記第１のノードの新たな機器識別情報と、前記第１のノードから前記第２のノードへの接続依頼とを前記第２のノードへ送信するステップ、前記第２のノードから、前記第１のノードのメタデータの送信要求を受信するステップ、前記送信要求に基づいて、前記記憶手段から前記第１のノードのメタデータを検索し、この第１のノードのメタデータを前記第２のノードへ送信するステップ、前記第１のノードと前記第２のノードとの通信が終了した通知を受信するステップ、この通信が終了した通知に基づいて、前記記憶手段の前記第１のノードのメタデータと、前記第１のノードの新たな機器識別情報との対応付けを削除するステップを実行することを特徴とする。
【００２１】
請求項５に係る発明は、請求項１から請求項４のいずれか１項に記載の各ステップをメタデータの管理装置に実行させることを特徴とするプログラムである。
【００２２】
請求項６に係る発明は、請求項５に記載のプログラムを記憶した記憶媒体である。
【００２３】
この構成によれば、ノードの属性情報の交換をノード間の個別のアプリケーション接続を行なうことなく実現することができる。また、サービスの提供後もノードがその属性情報によって恒久的に特定され続けたり、その属性情報が不本意な利用をされることを防止することができる。
【発明の効果】
【００２４】
本発明によれば、各ノードは、他のノードからの接続時に、当該ノードの機器識別情報（ＩＰアドレス）を取得し、このＩＰアドレスに基づいて管理装置からノードの属性情報（メタデータ）を取得するので、ノードの属性に関する情報もネットワーク層（ネットワークレベル）で処理可能となる。すなわち、例えば、サーバ側ノードに接続してきたクライアント側ノードの属性が、サーバ側ノードのサービスの提供対象外の属性である場合に、クライアント側ノードとサーバ側ノードとの間でクライアント側ノードの属性情報のアプリケーションデータの送受信や処理を行なわなくても、サーバ側ノードはクライアント側ノードがサービスの提供対象外の属性であることを判断することができる。したがって、サーバ側ノードは、クライアント側ノードがサービスの提供対象外の属性であるか否かを、ネットワークレベルで判断可能となる。また、ノード間の通信において、ＩＰアドレスに基づいて各ノードの属性情報の送受信を行なうことにより、ネットワーク全体としてのトラヒックの軽減を図ることもできる。
また、各ノードがＩＰアドレスに含まれるメタデータ（またはメタデータの要約情報）の処理（解読）することができなかった場合でも、管理装置は、各ノードからメタデータの送信要求（参照要求）に応じて記憶手段に記憶されたメタデータを送信する（参照させる）ので、参照要求をしたノードは、自身にメタデータを処理する能力（アプリケーション）がない場合でも属性情報を取得することができる。
さらに、管理装置は、ノード間の通信の終了後に、当該ノードのメタデータと機器識別情報との対応付けを削除するので、サービス提供後もノードがその属性情報によって恒久的に特定され続けたり、その属性情報が不本意な利用をされることを防ぐことができる。
【発明を実施するための最良の形態】
【００２５】
以下、本発明の実施の形態について、図面を参照して詳細に説明する。
【００２６】
（第１の実施の形態）
まず、本発明の第１の実施の形態を図１と図４とを用いて説明する。
図１は、本発明の第１の実施の形態の管理システムの構成を示した図であり、図４は、管理装置の処理手順を示したフローチャートである。
【００２７】
メタデータ管理装置２００（以下、管理装置２００と略す）は、ノード１００同士の接続等に用いるノード１００の属性に関する情報からメタデータを作成し、これを記憶して、各ノード１００に参照させる機能を有する。したがって、管理装置２００は、メタデータ記憶手段２０１と、メタデータ登録手段２０２と、メタデータ削除手段２０３と、メタデータ参照手段２０４とを含んで構成される。
【００２８】
ノード１００は、ネットワーク３を介してデータの送受信を行なえるようＩＰアドレスが設定されるネットワーク接続機器であり、例えばコンテンツ配信サーバや、これを受信するクライアント（ユーザ端末）である。また、ノード１００は、他のノード１００との通信の可否を決定したり、送受信するデータの種類やサービスの種類等を決定するためのフィルタリング情報を図示しない記憶手段に記憶していてもよい。
【００２９】
なお、ノード１００に設定（付与）されるＩＰアドレスは、ネットワーク３を介して図示しないＤＨＣＰ（Dynamic Host Configuration Protocol）サーバ等のＩＰアドレスの割り当て手段により動的に割り当てられたＩＰアドレスとする。このようにすることで、例えば、ノード１００Ｂや管理装置２００が保持するノード１００Ａのメタデータ（属性に関する情報）とノード１００ＡのＩＰアドレスとの対応関係を示す情報が公開されても、第三者により即座にこのノードの属性情報（例えば、ユーザの性別や年齢）がノード１００Ａのものであることが特定されてしまうことを防ぐことができる。
【００３０】
また、ＩＰアドレスは、ＩＰｖ４（Internet Protocol Version 4）によるＩＰアドレスでもよいし、ＩＰｖ６（Internet Protocol Version 6）によるＩＰアドレスでもよい。
なお、説明のため、図１の管理システムにはノード１００は２個しか描いていないが、もちろん３個以上のノード１００を含んで構成されていてもよい。
【００３１】
次に、図１を参照しつつ、図４を用いてノード１００Ａとノード１００Ｂとの間で通信を行なう場合を例として、管理装置２００の処理手順を説明する。
【００３２】
ステップＳ１０１では、ノード１００Ａがネットワーク３に接続するにあたり、自身のネットワークインターフェースにＩＰアドレスを設定する。
このＩＰアドレスは、前記したとおり、図示しないＩＰアドレス割り当て手段（ＤＨＣＰサーバ等）から、動的に割り当てられるＩＰアドレスとする。
【００３３】
ステップＳ１０２では、ノード１００Ａから管理装置２００へ、ノード１００Ａの属性に関する情報とステップＳ１０１で設定したＩＰアドレスとを送信し、ノード１００Ａの属性を示すメタデータの登録依頼を行なう。
【００３４】
ステップＳ１０３では、管理装置２００が、ステップＳ１０２で送信されたノード１００ＡのＩＰアドレスとノード１００Ａの属性に関する情報を受信すると、メタデータ登録手段２０２がノード１００Ａの属性に関する情報に基づきメタデータを作成し、このデータとノード１００ＡのＩＰアドレスとを対応付ける。そして、この対応付けた情報をメタデータ記憶手段２０１に登録する（記憶させる）。
【００３５】
なお、このメタデータは、例えばノード１００のユーザの性別、年齢、クレジットカードの番号といったユーザの個人情報等、ノード１００の属性に関する情報を示したデータである。このメタデータは、他のノード１００（例えば、ノード１００Ｂ）と接続したときに、ノード１００Ｂの接続後の認証や属性に応じたデータの送信等、接続後の処理に用いられるデータである。
したがって、メタデータ登録手段２０２は、ノード１００Ａから様々な属性情報を受信した後、この属性情報の中から、ノード１００（サーバ側）が認証やサービスの種類の決定等に用いるような情報のみをメタデータ化して、メタデータ記憶手段２０１に記憶させるようにしてもよい。
【００３６】
表１は、メタデータ記憶手段２０１に記憶されるＩＰアドレスとメタデータとの対応を示す情報を例示したものである。例えば、表１において、ＩＰアドレス「ＡＡＡ．ＡＡＡ．ＡＡＡ．ＡＡＡ」のノード１００は、「メタデータ１」というメタデータが対応することを示している。
なお、ノード１００のＩＰアドレスは重複する場合はないが、メタデータについては重複する場合がある。すなわち、表1に例示されるように、ＩＰアドレス「ＡＡＡ．ＡＡＡ．ＡＡＡ．ＡＡＡ」のノード１００と、ＩＰアドレス「ＣＣＣ．ＣＣＣ．ＣＣＣ．ＣＣＣ」のノード１００とは、同じ「メタデータ１」のメタデータが対応することもある。
【００３７】
【表１】
2005064881.tif 000003
【００３８】
ステップＳ１０４では、管理装置２００のメタデータ登録手段２０２がノード１００Ａのメタデータをメタデータ記憶手段２０１へ記憶させると、ノード１００Ａへメタデータの登録が完了した旨を通知（送信）する。
【００３９】
ステップＳ１０５では、ステップＳ１０４でノード１００Ａが管理装置２００からのメタデータの登録完了の通知を受信すると、例えば、ノード１００Ｂとのコネクションの確立要求用のパケット等、ノード１００Ｂへ接続するためのパケットを送信する。
【００４０】
ステップＳ１０６では、ノード１００Ｂが、ステップＳ１０４でノード１００Ａから送信されたパケットのヘッダ情報等からノード１００ＡのＩＰアドレスを取り出す。
【００４１】
ステップＳ１０７では、ノード１００Ｂが、ステップＳ１０５で取り出したノード１００ＡのＩＰアドレスを管理装置２００へ送信し、ノード１００Ａのメタデータの参照依頼を行なう。
【００４２】
ステップＳ１０８では、管理装置２００のメタデータ参照手段２０４が、ステップＳ１０７でノード１００Ｂから送信されたノード１００ＡのＩＰアドレスに基づいて、メタデータ記憶手段２０１からノード１００ＡのＩＰアドレスに対応するメタデータを検索し、取得する。
【００４３】
ステップＳ１０９では、管理装置２００のメタデータ参照手段２０４が、ステップＳ１０８で取得したノード１００Ａのメタデータをノード１００Ｂへ通知（送信）する。
すなわち、管理装置２００はノード１００Ａのメタデータをノード１００Ｂに参照させる。
【００４４】
ステップＳ１１０では、ノード１００Ｂが、管理装置２００から送信されたノード１００Ａのメタデータに基づき、ノード１００Ａとの通信を実行（アプリケーションデータを送受信）する。
【００４５】
例えば、ここで、ノード１００Ｂが受信したノード１００Ａのメタデータから、ノード１００Ａの属性は、ノード１００Ｂの提供するサービスの対象外の属性であることが判明した場合（ノード１００Ｂが女性限定のサイトであったときに、ノード１００Ｂのユーザが男性であった場合など）は、ノード１００Ａとの通信を行なわないようにすることも考えられる。このような場合、ノード１００Ｂがノード１００Ａのメタデータを参照した後、ノード１００Ｂからノード１００Ａへ、ノード１００Ａの属性がノード１００Ｂの提供するサービスの対象外の属性である旨を通知（送信）するようにしてもよい。
すなわち、ノード１００Ｂがノード１００Ａの属性に関するメタデータを参照することで、ノード１００Ａはノード１００Ｂとの通信を行なうことができる属性を持つノード１００Ａであるか否かの認証を行なうこともできる。
【００４６】
ステップＳ１１１では、ノード１００Ａとノード１００Ｂとの通信が終了すると、ノード１００Ａが、管理装置２００へ、ノード１００Ａとノード１００Ｂとの通信が終了した旨の通知を送信する。
通信が終了した旨の通知は、例えば、ノード１００Ａがノード１００Ｂからのコネクション切断の確認応答を受信すると、これをトリガとしてノード１００Ａから管理装置２００へパケットを送信するようにしてもよい。
なお、この通信終了の通知は、ノード１００Ｂが管理装置２００へ送信してもよい。
【００４７】
ステップＳ１１２では、管理装置２００がノード１００Ａから通信終了の通知を受信すると、メタデータ削除手段２０３が、メタデータ記憶手段２０１に格納されているノード１００Ａのメタデータとノード１００ＡのＩＰアドレスとの対応付け（バインド）を削除する。
すなわち、例えば、前記した表１のノード１００のＩＰアドレス「ＡＡＡ．ＡＡＡ．ＡＡＡ．ＡＡＡ」には、メタデータ「メタデータ１」が対応するという対応付けを削除する。
【００４８】
管理装置２００がこのような処理を行なうことで、ノード１００Ｂは、ノード１００Ａの属性がノード１００Ｂの提供するサービスの対象の属性であることを確認した上で、ノード１００Ａとの通信を実行したり、ノード１００Ａの属性に基づいたデータの送受信（サービスの提供）を行なうことができる。また、ノード１００間の通信が終了すると、管理装置２００に格納されたノード１００のメタデータとノード１００のＩＰアドレスとの対応付けは削除されるので、その属性情報が不本意な利用をされることを防ぎ、ノードの属性情報を特定の利用目的のみに限定することができる。
【００４９】
（第２の実施の形態）
次に、本発明の第２の実施の形態を、図２と図５とを用いて説明する。
前記した第１の実施の形態と同様の構成要素は、同じ符号を付して説明を省略する。
図２は、本発明の第２の実施の形態の管理システムの構成を示した図であり、図５は、管理装置の処理手順を示したフローチャートである。
【００５０】
第２の実施の形態は、管理装置２００がノード１００Ａのメタデータを作成するとともに、このメタデータを含んだ新たなＩＰアドレスをノード１００ＡのＩＰアドレスとして作成（設定）し、これをノード１００Ｂに通知することを特徴とする。
したがって、第１の実施の形態の管理装置２００の構成に、このメタデータを含んだ新たなＩＰアドレスを作成するメタデータ設定手段２０５を付加した構成となっている。
【００５１】
このメタデータ設定手段２０５を含む管理装置２００の処理手順の詳細を、図２を参照しつつ、図５を用いて説明する。
管理装置２００のステップＳ２０１からステップＳ２０３の処理手順は、第１の実施の形態で述べた管理装置２００のステップＳ１０１からステップＳ１０３の処理手順と同様であるので説明を省略し、ステップＳ２０４から説明する。
【００５２】
ステップＳ２０４では、メタデータ設定手段２０５が、ノード１００Ａのメタデータを含んだ新たなＩＰアドレス（ステップＳ２０１でノード１００Ａが取得したＩＰアドレスとは異なるアドレス）を作成する。すなわち、ノード１００Ａの本来のＩＰアドレスとは異なる新たなＩＰアドレスを生成して、この新たなＩＰアドレスにノード１００Ａの属性情報を示すメタデータをマッピングする。
【００５３】
メタデータ設定手段２０５が作成する新たなＩＰアドレスは、ＩＰｖ４によるＩＰアドレスであってもよいし、ＩＰｖ６によるＩＰアドレスであってもよい。
なお、メタデータ設定手段２０５が作成する新たなＩＰアドレスは、ノード１００Ａがメタデータの登録依頼を行なうたび（管理装置２００へ接続するたび）、異なるアドレスを作成してもよいし、登録された所定のＩＰアドレスを順に割り当てるようにしてもよい。
【００５４】
このようにすることで、例えばノード１００ＡがステップＳ２０１で取得したＩＰアドレスが固定のＩＰアドレスの場合でも、ノード１００Ｂが保持するメタデータ（属性情報）は、一時的に割り振られた新たなＩＰアドレスにひもづいた情報であるので、このメタデータと新たなＩＰアドレスとの対応関係に関する情報が公開された場合でも、この情報がノード１００Ａの属性情報であることを特定することは困難となる。したがって、第三者によるノード１００Ａの属性情報の不本意な利用を防止することができる。
【００５５】
なお、ここでは、ＩＰｖ４よりもＩＰｖ６の方が、ＩＰアドレスのアドレス長が長く（１２８ビット）、メタデータの設定をしやすいと考えられるため、ＩＰｖ６によるＩＰアドレスにメタデータを設定する場合を例として説明する。
【００５６】
図７は、ＩＰｖ６のアドレス構造を例示した図である。図７に例示されるようにＩＰｖ６のＩＰアドレスは、経路制御に必要なネットワーク識別子（６４ビット）と、各ホスト（ノード）のインターフェースに関する情報であるインターフェースＩＤ（６４ビット）とで構成されている。したがって、メタデータ設定手段２０５が、このインターフェースＩＤをノード１００のメタデータと対応関係があるように設定（作成）すれば、経路制御とは独立にノード１００のメタデータ（属性情報）をＩＰアドレスに対応付ける（含ませる）ことができる。
【００５７】
なお、前記した新たなＩＰアドレスには、ノード１００のメタデータを含ませる（マッピングする）こととしたが、メタデータ登録手段２０２が作成するメタデータのビット数が大きい場合（例えば、６４ビット以上）である場合は、メタデータを要約し、ビット数を小さくして新たなＩＰアドレスに含める（マッピングする）ようにしてもよい。
【００５８】
そして、メタデータ設定手段２０５は、このノード１００Ａのメタデータを含んだ新たなＩＰアドレスと、ステップＳ２０３でメタデータ登録手段２０２が作成したノード１００Ａのメタデータとを対応付けて、メタデータ記憶手段２０１に記憶（登録）する。
【００５９】
表２は、メタデータ設定手段２０５によりメタデータ記憶手段２０１に記憶（格納）されるノード１００の新たなＩＰアドレスとノード１００のメタデータとの対応を示す情報を例示した表である。
例えば、表２において、「メタデータ１」というメタデータを持つノードに対しては、このメタデータを含んだ新たなＩＰアドレス「１０８０：０：０：８：８００：２００Ｃ：４１７Ａ」が割り当てられている（対応している）ことを示している。
なお、ここでノード１００Ａに割り当てられる新たなＩＰアドレスは、ノード１００Ａが管理装置２００へ接続するたびにすべて異なるＩＰアドレスとしてもよいし、登録された有限数のＩＰアドレスを順に割り当てるようにしてもよい。
【００６０】
【表２】
2005064881.tif 000004
【００６１】
ステップＳ２０５では、管理装置２００のメタデータ設定手段２０５が、ノード１００Ａへ、ステップＳ２０４で作成した新たなＩＰアドレスを通知（送信）する。
【００６２】
ステップＳ２０６では、ノード１００Ａが、ノード１００Ｂに対し接続依頼を行なう。具体的には、ノード１００ＡはステップＳ２０５で受信したノード１００Ａの新たなＩＰアドレスを設定したパケットをノード１００Ｂへ送信する。
【００６３】
ステップＳ２０７では、ノード１００Ｂが、ステップＳ２０６で送信されたパケットからノード１００Ａの新たなＩＰアドレスを取り出す。
【００６４】
ステップＳ２０８では、ノード１００Ｂが、ステップＳ２０７で取り出した新たなＩＰアドレスに含まれるメタデータ（またはメタデータの要約情報）を、自身で処理可能か否かを判断する。ノード１００Ｂがメタデータ（またはメタデータの要約情報）を処理することができない場合には、ステップＳ２０９へ進む。ノード１００Ｂがメタデータ（またはメタデータの要約情報）を処理することができる場合には、ステップＳ２１２へ進む。
【００６５】
ここで、メタデータ（またはメタデータの要約情報）を処理することができない場合とは、ノード１００Ｂがメタデータ（またはメタデータの要約情報）を読み込んで、このデータに基づいて、ノード１００Ａとの通信処理を行なうことができない場合である。例えば、メタデータに詳細な内容が記述されていなかったり、暗号化されているため、ノード１００Ａがこの情報を読み込むことができない場合である。
【００６６】
メタデータを処理することができない場合のステップＳ２０９では、ノード１００Ｂが管理装置２００へノード１００Ａのメタデータの内容の参照依頼を送信する。例えば、ノード１００Ｂが、管理装置２００へノード１００Ａの新たなＩＰアドレスを含んだデータを送信する。。
【００６７】
ステップＳ２１０では、管理装置２００のメタデータ参照手段２０４が、ノード１００Ｂから、ノード１００Ａのメタデータの内容の参照依頼を受信すると、メタデータ記憶手段２０１に格納された情報からノード１００Ａのメタデータを検索し、取得する。
【００６８】
ステップＳ２１１では、メタデータ参照手段２０４が、ステップＳ２１０で検索（取得）したメタデータをノード１００Ｂへ送信する。すなわち、管理装置２００はノード１００Ａのメタデータをノード１００Ｂに参照させる。
【００６９】
メタデータを処理することが可能である場合のステップＳ２１２では、ノード１００Ｂがノード１００Ａのメタデータ（またはメタデータの要約情報）に基づき、ノード１００Ａとの通信を実行する。
【００７０】
ステップＳ２１３では、ノード１００Ａとノード１００Ｂとの通信が終了すると、ノード１００Ａは管理装置２００へ通信が終了した旨の通知を受信する。
なお、この通信終了の通知は、ノード１００Ｂが管理装置２００へ送信してもよい。
【００７１】
ステップＳ２１４では、管理装置２００がノード１００Ａから通信終了の通知を受信すると、メタデータ削除手段２０３が、メタデータ記憶手段２０１に格納されているノード１００ＡのＩＰアドレスとメタデータとの対応付けを削除する。
すなわち、例えば、前記した表１のノード１００のＩＰアドレス「ＡＡＡ．ＡＡＡ．ＡＡＡ．ＡＡＡ」には、メタデータ「メタデータ１」が対応するという対応付けを削除する。
【００７２】
このように、管理装置２００は、ノード１００Ａのメタデータをノード１００Ｂに参照させるので、ノード１００Ｂは必ずしもノード１００Ａのメタデータを取得する（または、要約されたメタデータを処理する）機能を持たなくてもよくなり、ノード１００Ｂのメタデータの処理負担を軽減することができる。
また、メタデータ設定手段２０５がノード１００Ａの新たなＩＰアドレスを作成し、ノード１００Ａはこの新たなＩＰアドレスでノード１００Ｂへ接続依頼を行なうので、ノード１００Ａのメタデータ（属性情報）が公開された場合でも、そのメタデータがノード１００Ａの属性情報であることを第三者に特定されるのを防ぐことができる。さらに、ノード１００間の通信が終了すると、メタデータ削除手段２０３が、ノード１００ＡのＩＰアドレスとメタデータとの対応付けを削除するので、属性情報を特定の利用目的のみに限定することができ、ノードの属性情報の不本意な利用を防止することができる。
【００７３】
（第３の実施の形態）
次に、本発明の第３の実施の形態を図３と図６とを用いて説明する。
前記した各実施の形態と同様の構成要素は同じ符号を付して、説明を省略する。
図３は、本発明の第３の実施の形態の管理システムの構成を示した図であり、図６は、管理装置の処理手順を示したフローチャートである。
【００７４】
第３の実施の形態は、ノード１００Ａからノード１００Ｂへの接続（接続依頼）を行なうとき、ノード１００Ａからノード１００Ｂへ直接接続を行なうのではなく、管理装置２００がノード１００Ａからの接続を中継することを特徴する。
したがって、第２の実施の形態の管理装置２００の構成に、このメタデータ（またはメタデータの要約情報）を含んだ新たなＩＰアドレスを作成するメタデータ中継手段２０６を含んだ構成となっている。
【００７５】
このメタデータ中継手段２０６を含む管理装置２００の処理手順の詳細を、図３を参照しつつ、図６を用いて説明する。
ステップＳ３０１からステップＳ３０３の処理手順は、第２の実施の形態で述べたステップＳ２０１からステップＳ２０３の処理手順と同様であるので説明を省略し、ステップＳ３０４から説明する。
【００７６】
ステップＳ３０４では、管理装置２００のメタデータ中継手段２０６が、ノード１００Ａからの接続依頼を受信する。このノード１００Ａからの接続依頼には、ノード１００ＡのＩＰアドレスと、接続先であるノード１００ＢのＩＰアドレスとが含まれる。そして、メタデータ中継手段２０６は、この接続依頼の情報をメタデータ設定手段２０５へ出力する。
【００７７】
ステップＳ３０５では、メタデータ設定手段２０５が、ノード１００Ａのメタデータを含んだ新たなＩＰアドレス（ステップＳ３０１でノード１００Ａが取得したＩＰアドレスとは異なるアドレス）を作成する。すなわち、ノード１００Ａの本来のＩＰアドレスとは異なる新たなＩＰアドレスを生成して、この新たなＩＰアドレスにノード１００Ａの属性情報を示すメタデータをマッピングする。そして、メタデータ設定手段２０５は、このノード１００Ａのメタデータを含んだ新たなＩＰアドレスと、ステップＳ３０３でメタデータ登録手段２０２が作成したノード１００Ａのメタデータとを対応付けて、メタデータ記憶手段２０１に記憶（格納）させる。
【００７８】
ステップＳ３０６では、ノード１００Ａが、管理装置２００のメタデータ設定手段２０５が、ノード１００ＡへステップＳ３０５で作成された新たなＩＰアドレスを通知（送信）する。
【００７９】
ステップＳ３０７では、ノード１００Ａが、管理装置２００のメタデータ中継手段２０６に対してノード１００Ｂへの接続依頼を行なう。具体的には、ノード１００ＡがステップＳ３０１で設定したＩＰアドレス、またはステップＳ３０６で管理装置２００から受信した新たなＩＰアドレスを設定した接続依頼のパケットを、管理装置２００のメタデータ中継手段２０６に対して送信する。
【００８０】
ステップＳ３０８では、管理装置２００のメタデータ中継手段２０６がステップＳ３０７で送信された接続依頼のパケットを受信する。
次に、メタデータ中継手段２０６は、受信した接続依頼のパケットの送信元のＩＰアドレスがステップＳ３０１で設定されたＩＰアドレス（本来のＩＰアドレス）である場合には、このＩＰアドレスを新たなＩＰアドレス（ステップＳ３０５でメタデータ設定手段２０５が作成したＩＰアドレス）に書き換えた接続依頼のパケットをノード１００Ｂへ送信する。
また、受信したパケットの送信元のＩＰアドレスがステップＳ３０５で作成された新たなＩＰアドレスである場合には、メタデータ中継手段２０６はアドレスの書き換えを行なわず、受信した接続依頼のパケットをそのままノード１００Ｂへ送信する。
【００８１】
管理装置２００のステップＳ３０９からステップＳ３１６までの処理手順は、第２の実施の形態の管理装置２００のステップＳ２０７からステップＳ２１４までの処理手順と同様であるので説明を省略する。
【００８２】
本実施の形態の管理装置２００が、このようなメタデータ中継手段２０６を備えることで、例えば、メタデータ中継手段２０６の図示しない記憶部にノード１００Ｂが通信を認めないノード１００の属性に関する情報を記憶しておけば、ノード１００Ｂが通信を認めない属性を持つノード１００から接続依頼を受けたときに、ノード１００Ｂがこのノード１００との通信を認めない旨を直接通知する必要がない。すなわち、このような通知を管理装置２００のメタデータ中継手段２０６に代行させることも可能となるため、ノード１００Ｂとノード１００Ａとの通信における認証の処理負担を軽減することもできる。
【００８３】
以上本発明の好適な実施の形態を示したが、この実施の形態に限定されず発明の趣旨を変更しない範囲で広く応用可能である。例えば、第１の実施の形態において、ノード１００Ａは、ＤＨＣＰサーバ等から動的なＩＰアドレスを取得することとしたが、ＩＳＰ（Internet Service Provider）から割り振られる固定のＩＰアドレスを取得（設定）するようにしてもよい。
また、本発明の実施の形態に係る管理装置２００は、コンピュータ及びプログラムによって実現することができ、そのプログラムをコンピュータによる読み取り可能な記録媒体に記録することでその記録媒体によって提供することが可能である。また、そのプログラムを、ネットワークを通して提供することも可能である。
【図面の簡単な説明】
【００８４】
【図１】本発明の第１の実施の形態の管理システムの構成を示した図である。
【図２】本発明の第２の実施の形態の管理システムの構成を示した図である。
【図３】本発明の第３の実施の形態の管理システムの構成を示した図である。
【図４】図１の管理装置の処理手順を示したフローチャートである。
【図５】図２の管理装置の処理手順を示したフローチャートである。
【図６】図３の管理装置の処理手順を示したフローチャートである。
【図７】ＩＰｖ６のアドレス構造を例示した図である。
【符号の説明】
【００８５】
１００（１００Ａ，１００Ｂ）  ノード
２００  管理装置（メタデータ管理装置）
２０１  メタデータ記憶手段
２０２  メタデータ登録手段
２０３  メタデータ削除手段
２０４  メタデータ参照手段
２０５  メタデータ設定手段
２０６  メタデータ中継手段
３      ネットワーク
【図１】
2005064881.tif 000005
【図２】
2005064881.tif 000006
【図３】
2005064881.tif 000007
【図４】
2005064881.tif 000008
【図５】
2005064881.tif 000009
【図６】
2005064881.tif 000010
【図７】
2005064881.tif 000011